(57)【特許請求の範囲】
【請求項１】
予め定められた通信プロトコルのメッセージを送受信するシーケンスを実行する通信手段（１０、２０、３０）に対して試験を行うシーケンス試験装置（４０）であって、
前記各通信手段がメッセージを受信してから前記メッセージに関する処理を完了するまでの時間であるレイテンシの理想値を前記通信手段ごとに基準レイテンシとして設定するレイテンシ設定手段（４１）と、
前記各通信手段の通信時における実際のレイテンシである実レイテンシを前記通信手段ごとに取得する実レイテンシ取得手段（４３）と、
前記基準レイテンシと前記実レイテンシとの差分を示す差分レイテンシを算出する差分算出手段（４５）と、
前記差分レイテンシを複数の段階に分類する複数のしきい値を設定するしきい値設定手段（４６）と、
前記複数のしきい値に基づいて分類された差分レイテンシを識別表示する表示手段（５０）と、を備えたことを特徴とするシーケンス試験装置。
【請求項２】
前記複数のしきい値に応じて定めた色の矩形アイコンをメッセージの方向を示す矢印に重ねて表示する表示条件を設定する表示条件設定手段（４８）を備え、
前記表示手段は、前記表示条件設定手段によって設定された表示条件に基づいて前記差分レイテンシを識別表示するものであることを特徴とする請求項１に記載のシーケンス試験装置。
【請求項３】
前記差分レイテンシが予め定められた範囲にあるメッセージのみを選択して表示する表示条件を設定する表示条件設定手段（４８）を備え、
前記表示手段は、前記表示条件設定手段によって選択されたメッセージを表示するものであることを特徴とする請求項１に記載のシーケンス試験装置。
【請求項４】
予め定められた通信プロトコルのメッセージを送受信するシーケンスを実行する通信手段に対して試験を行うシーケンス試験方法であって、
前記各通信手段がメッセージを受信してから前記メッセージに関する処理を完了するまでの時間であるレイテンシの理想値を前記通信手段ごとに基準レイテンシとして設定するレイテンシ設定ステップと、
前記各通信手段の通信時における実際のレイテンシである実レイテンシを前記通信手段ごとに取得する実レイテンシ取得ステップと、
前記基準レイテンシと前記実レイテンシとの差分を示す差分レイテンシを算出する差分算出ステップと、
前記差分レイテンシを複数の段階に分類する複数のしきい値を設定するしきい値設定ステップと、
前記複数のしきい値に基づいて分類された差分レイテンシを識別表示する表示ステップと、を含むことを特徴とするシーケンス試験方法。
【請求項５】
前記複数のしきい値に応じて定めた色の矩形アイコンをメッセージの方向を示す矢印に重ねて表示する表示条件を設定する表示条件設定ステップを含み、
前記表示ステップにおいて、前記表示条件設定ステップで設定された表示条件に基づいて前記差分レイテンシを識別表示することを特徴とする請求項４に記載のシーケンス試験方法。
【請求項６】
前記差分レイテンシが予め定められた範囲にあるメッセージのみを選択して表示する表示条件を設定する表示条件設定ステップを含み、
前記表示ステップにおいて、前記表示条件設定ステップで選択されたメッセージを表示することを特徴とする請求項４に記載のシーケンス試験方法。
【発明の詳細な説明】
【技術分野】
【０００１】
本発明は、シーケンス試験装置及びシーケンス試験方法に関し、例えば、携帯電話、モバイル端末等の通信端末を所定の通信プロトコルに基づいたシーケンスで試験するシーケンス試験装置及びシーケンス試験方法に関する。
【背景技術】
【０００２】
携帯電話等の通信端末を新たに開発した場合、この開発した通信端末が実際に使用される環境で正常に動作するか否かを試験する必要がある。しかしながら、この新規に開発された通信端末と既に稼働中の実際の基地局との間で各種の試験用の通信情報を送受信して、この新規に開発された通信端末が正常に動作するか否かを試験することは非常に困難である。
【０００３】
そこで、新規に開発された通信端末を、実際の基地局の機能を有する擬似基地局装置に接続して、通信端末と擬似基地局装置との間で各種の通信情報を送受信して、新規に開発された通信端末が正常に動作するか否かの試験を実施する試験装置が知られている。この種の試験装置における機能の１つとして、被試験端末としての通信端末と擬似基地局装置との間で送受信される各種の通信情報のログ情報を取得してトレース情報として表示器に表示するトレース機能がある。このトレース機能を利用して、通信情報の詳細な時系列的な複数のログ情報をトレース情報として表示出力することによって、被試験端末が正常に動作しなかった場合における異常の発生要因の究明が容易になる。
【０００４】
一般に、被試験端末に対する試験項目は多岐に亘るので、被試験端末と擬似基地局装置との間で試験用に送受信される通信情報は膨大な数になり、この通信情報のログ情報も膨大な数となる。しかしながら、従来の試験装置では、試験用に送受信される通信情報の膨大なログ情報を時系列的に出力するのみであるので、被試験端末が正常に動作しなかった場合における異常とみなされるログ情報を簡単に特定できないという課題があった。
【０００５】
この課題を解決するものとして、例えば、特許文献１に開示された擬似基地局装置が知られている。この擬似基地局装置は、少なくとも一部のログ情報に含まれる抽出情報を指定する抽出情報指定手段と、指定された抽出情報を有するログ情報をトレース情報から抽出するログ情報抽出手段と、表示器に表示されたトレース情報を構成する複数のログ情報のうちログ情報抽出手段で抽出されたログ情報に対してフィルタマーカを付加するフィルタマーカ表示手段と、を備えている。この構成により、従来の擬似基地局装置は、表示器に表示されたトレース情報を構成する複数のログ情報の中から異常のログ情報を容易に特定することができるようになっている。
【先行技術文献】
【特許文献】
【０００６】
【特許文献１】特開２００６−１７４１７３号公報
【発明の概要】
【発明が解決しようとする課題】
【０００７】
しかしながら、特許文献１に開示されたものでは、異常のログ情報を容易に特定することができるものの、被試験端末がメッセージを受信してからそのメッセージに関する処理を完了するまでの時間であるレイテンシをユーザに容易に識別させることはできず、その改善が求められていた。
【０００８】
具体的には、特許文献１に開示されたものは、例えば、図１０に示すように通信結果を表示する。すなわち、図１０において、ノードＡ、ノードＢ及びノードＣの間において送受信されたメッセージであるＭｓｇ１〜６が送信時刻に対応して表示されているが、この表示では、どのノードの、どのメッセージの送出に時間を要したかをユーザに容易に識別させることができないという課題があった。その対策として、例えば、図１１に示すように、メッセージの表示間隔を送信時刻の間隔に比例させて表示させることもできるが、表示画面に無駄な領域が発生してしまい、膨大な数となる通信情報の表示には適さないという課題があった。
【０００９】
本発明は、前述のような事情に鑑みてなされたものであり、被試験端末のレイテンシをユーザに容易に識別させることができるシーケンス試験装置及びシーケンス試験方法を提供することを目的とする。
【課題を解決するための手段】
【００１０】
本発明の請求項１に係るシーケンス試験装置は、予め定められた通信プロトコルのメッセージを送受信するシーケンスを実行する通信手段（１０、２０、３０）に対して試験を行うシーケンス試験装置（４０）であって、前記各通信手段がメッセージを受信してから前記メッセージに関する処理を完了するまでの時間であるレイテンシの理想値を前記通信手段ごとに基準レイテンシとして設定するレイテンシ設定手段（４１）と、前記各通信手段の通信時における実際のレイテンシである実レイテンシを前記通信手段ごとに取得する実レイテンシ取得手段（４３）と、前記基準レイテンシと前記実レイテンシとの差分を示す差分レイテンシを算出する差分算出手段（４５）と、前記差分レイテンシを複数の段階に分類する複数のしきい値を設定するしきい値設定手段（４６）と、前記複数のしきい値に基づいて分類された差分レイテンシを識別表示する表示手段（５０）と、を備えた構成を有している。
【００１１】
この構成により、本発明の請求項１に係るシーケンス試験装置は、差分レイテンシを複数の段階に分類する複数のしきい値に基づいて分類された差分レイテンシを識別表示するので、被試験端末としての通信手段のレイテンシをユーザに容易に識別させることができる。
【００１２】
本発明の請求項２に係るシーケンス試験装置は、前記複数のしきい値に応じて定めた色の矩形アイコンをメッセージの方向を示す矢印に重ねて表示する表示条件を設定する表示条件設定手段（４８）を備え、前記表示手段は、前記表示条件設定手段によって設定された表示条件に基づいて前記差分レイテンシを識別表示するものである構成を有している。
【００１３】
この構成により、本発明の請求項２に係るシーケンス試験装置は、複数のしきい値に応じて定めた色の矩形アイコンをメッセージの方向を示す矢印に重ねて表示することができる。その結果、本発明の請求項２に係るシーケンス試験装置は、被試験端末としての通信手段のレイテンシをユーザに容易に識別させることができる。
本発明の請求項３に係るシーケンス試験装置は、前記差分レイテンシが予め定められた範囲にあるメッセージのみを選択して表示する表示条件を設定する表示条件設定手段（４８）を備え、前記表示手段は、前記表示条件設定手段によって選択されたメッセージを表示するものである構成を有している。
【００１４】
本発明の請求項４に係るシーケンス試験方法は、予め定められた通信プロトコルのメッセージを送受信するシーケンスを実行する通信手段に対して試験を行うシーケンス試験方法であって、前記各通信手段がメッセージを受信してから前記メッセージに関する処理を完了するまでの時間であるレイテンシの理想値を前記通信手段ごとに基準レイテンシとして設定するレイテンシ設定ステップと、前記各通信手段の通信時における実際のレイテンシである実レイテンシを前記通信手段ごとに取得する実レイテンシ取得ステップと、前記基準レイテンシと前記実レイテンシとの差分を示す差分レイテンシを算出する差分算出ステップと、前記差分レイテンシを複数の段階に分類する複数のしきい値を設定するしきい値設定ステップと、前記複数のしきい値に基づいて分類された差分レイテンシを識別表示する表示ステップと、を含む構成を有している。
【００１５】
この構成により、本発明の請求項４に係るシーケンス試験方法は、差分レイテンシを複数の段階に分類する複数のしきい値に基づいて分類された差分レイテンシを識別表示するので、被試験端末としての通信手段のレイテンシをユーザに容易に識別させることができる。
【００１６】
本発明の請求項５に係るシーケンス試験方法は、前記複数のしきい値に応じて定めた色の矩形アイコンをメッセージの方向を示す矢印に重ねて表示する表示条件を設定する表示条件設定ステップを含み、前記表示ステップにおいて、前記表示条件設定ステップで設定された表示条件に基づいて前記差分レイテンシを識別表示する構成を有している。
【００１７】
この構成により、本発明の請求項５に係るシーケンス試験方法は、複数のしきい値に応じて定めた色の矩形アイコンをメッセージの方向を示す矢印に重ねて表示することができる。その結果、本発明の請求項５に係るシーケンス試験方法は、被試験端末としての通信手段のレイテンシをユーザに容易に識別させることができる。
本発明の請求項６に係るシーケンス試験方法は、前記差分レイテンシが予め定められた範囲にあるメッセージのみを選択して表示する表示条件を設定する表示条件設定ステップを含み、前記表示ステップにおいて、前記表示条件設定ステップで選択されたメッセージを表示する構成を有している。
【発明の効果】
【００１８】
本発明は、被試験端末のレイテンシをユーザに容易に識別させることができるという効果を有するシーケンス試験装置及びシーケンス試験方法を提供することができるものである。
【図面の簡単な説明】
【００１９】
【図１】本発明の実施形態におけるシーケンス試験システムのブロック構成図である。
【図２】本発明の実施形態におけるシーケンス試験システムの表示条件の一例を示す図である。
【図３】本発明の実施形態におけるシーケンス試験システムの第１の識別表示例を示す図である。
【図４】本発明の実施形態におけるシーケンス試験システムの第２の識別表示例を示す図である。
【図５】本発明の実施形態におけるシーケンス試験システムの表示条件の一例を示す図である。
【図６】本発明の実施形態におけるシーケンス試験システムの第３の識別表示例を示す図である。
【図７】本発明の実施形態におけるシーケンス試験システムの第４の識別表示例を示す図である。
【図８】本発明の実施形態におけるシーケンス試験システムの第５の識別表示例を示す図である。
【図９】本発明の実施形態の他の態様におけるシーケンス試験システムのブロック構成図である。
【図１０】従来のシーケンス試験結果を示す図である。
【図１１】従来のシーケンス試験においてメッセージの表示間隔を送信時刻の間隔に比例させて表示させた場合の試験結果を示す図である。
【発明を実施するための形態】
【００２０】
以下、本発明の実施形態について図面を用いて説明する。なお、本発明のシーケンス試験装置を、複数のノードを含むシーケンス試験システムに適用した例を挙げて説明する。このシーケンス試験システムは、例えば、携帯電話、モバイル端末等の通信端末を所定の通信プロトコルに基づいたシーケンスで通信試験することができるものである。本実施形態では、シーケンス試験システムが、有線の通信ネットワークに接続された複数のノードに対して通信プロトコルに基づいたシーケンスで通信試験を行うものとして説明する。
【００２１】
まず、本実施形態におけるシーケンス試験システムの構成について説明する。
【００２２】
図１に示すように、本実施形態におけるシーケンス試験システム１００は、被試験装置に対して試験を行うためのノードＡ１０と、被試験装置としてのノードＢ２０及びノードＣ３０を備えている。なお、ノードＡ１０、ノードＢ２０、ノードＣ３０は、図示を省略したが、各ノード全体の動作を制御するＣＰＵ及びこのＣＰＵを機能させるためのプログラムを記憶するＲＯＭ、ＲＡＭ等で構成された制御回路を備えている。
【００２３】
ノードＡ１０とノードＢ２０との間には、通信ケーブル１２が接続されている。ノードＢ２０とノードＣ３０との間には、両者間の通信信号を取り出すタップ６０が設けてある。ノードＢ２０とタップ６０との間には通信ケーブル１３、タップ６０とノードＣ３０との間には通信ケーブル１４が接続されている。ここで、ノードＡ１０、ノードＢ２０及びノードＣ３０は、本発明に係る通信手段を構成する。
【００２４】
ノードＡ１０は、シーケンス試験装置４０、通信装置１１を備えている。シーケンス試験装置４０は、レイテンシ設定部４１、レイテンシ記憶部４２、実レイテンシ取得部４３、実レイテンシ記憶部４４、差分算出部４５、しきい値設定部４６、しきい値記憶部４７、表示条件設定部４８、表示処理部４９、表示部５０を備えている。このシーケンス試験装置４０は、通信装置１１、ノードＢ２０及びノードＣ３０に対して所定の通信プロトコルに基づいたシーケンス試験を行うものである。
【００２５】
レイテンシ設定部４１は、あるメッセージを受信してからそのメッセージに関する処理を完了するまでの時間であるレイテンシの理想値をノードごとにユーザが設定するため操作するものである。以下、レイテンシ設定部４１によってノードごとに設定されたレイテンシを基準レイテンシという。なお、レイテンシ設定部４１は、本発明に係る基準レイテンシ設定手段を構成する。
【００２６】
レイテンシ記憶部４２は、例えばハードディスクドライブで構成され、ユーザが設定した基準レイテンシのデータを記憶するようになっている。
【００２７】
実レイテンシ取得部４３は、通信装置１１を介して、ノードＡ１０とノードＢ２０との間のメッセージをログ情報として取得し、取得したログ情報からノードＡ１０及びノードＢ２０の通信時における実際のレイテンシである実レイテンシのデータを取得するようになっている。このログ情報は、通信装置１１又はノードＢ２０が送信時に作成したタイムスタンプ情報を含む。また、実レイテンシ取得部４３は、タップ６０を介して、ノードＢ２０とノードＣ３０との間のメッセージをログ情報として取得し、取得したログ情報からノードＢ２０及びノードＣ３０の実レイテンシのデータを取得するようになっている。このログ情報は、ノードＢ２０又はノードＣ３０が送信時に作成したタイムスタンプ情報を含む。なお、実レイテンシ取得部４３は、本発明に係る実レイテンシ取得手段を構成する。
【００２８】
実レイテンシ記憶部４４は、例えばハードディスクドライブで構成され、実レイテンシ取得部４３が取得したログ情報及び実レイテンシのデータを記憶するようになっている。
【００２９】
差分算出部４５は、レイテンシ記憶部４２から基準レイテンシのデータを読み出すとともに、実レイテンシ記憶部４４からログ情報及び実レイテンシのデータを読み出して、基準レイテンシと実レイテンシとの差分（以下「差分レイテンシ」という。）を算出するようになっている。また、差分算出部４５は、ログ情報及び差分レイテンシのデータを表示処理部４９に出力するようになっている。なお、差分算出部４５は、本発明に係る差分算出手段を構成する。
【００３０】
しきい値設定部４６は、差分算出部４５が算出した差分レイテンシを複数の段階に分類するしきい値を設定するためユーザが操作するものである。なお、しきい値設定部４６は、本発明に係るしきい値設定手段を構成する。
【００３１】
しきい値記憶部４７は、例えばハードディスクドライブで構成され、しきい値設定部４６によって設定されたしきい値のデータを記憶するようになっている。
【００３２】
表示条件設定部４８は、差分レイテンシを複数の段階に分類して表示部５０に表示するための表示条件を設定するためユーザが操作するものである。例えば、表示条件設定部４８は、図２に示すような表示条件を設定するものである。図２は、差分レイテンシを５段階で分類するしきい値の例と、各しきい値に対応させて個数の異なる砂時計のアイコンを表示させる表示例を示している。すなわち、差分レイテンシが、０秒以上０．５秒未満のときは砂時計のアイコン表示はせず、０．５秒以上１秒未満のときは１個の砂時計のアイコン、１秒以上１０秒未満のときは２個の砂時計のアイコン、１０秒以上６０秒未満のときは３個の砂時計のアイコン、６０秒以上のときは４個の砂時計のアイコンを表示する表示設定が行われている。
【００３３】
図１に戻り、表示処理部４９は、差分算出部４５からログ情報及び実レイテンシのデータを受け取り、しきい値設定部４６によって設定されたしきい値と、表示条件設定部４８によって設定された表示条件とに基づいて、ログ情報及び実レイテンシのデータを識別表示する処理を行って、その信号を表示部５０に出力するようになっている。
【００３４】
表示部５０は、例えば液晶ディスプレイで構成され、ノードＡ１０、ノードＢ２０及びノードＣ３０のログ情報及び実レイテンシのデータを識別表示するようになっている。なお、表示部５０は、本発明に係る表示手段を構成する。
【００３５】
通信装置１１は、予め設定された通信試験プログラムに基づいてノードＢ２０と通信するようになっている。また、通信装置１１は、ノードＡ１０とノードＢ２０との間のログ情報を取得し、取得したログ情報を実レイテンシ取得部４３に出力するようになっている。
【００３６】
なお、前述したレイテンシ設定部４１、しきい値設定部４６及び表示条件設定部４８は、例えば、各設定値を設定するためのキーボード、ダイヤル又はマウスのような入力デバイス、これらを制御する制御回路等で構成され、各設定値を設定するための設定画面を表示部５０に表示するようになっている。
【００３７】
次に、本実施形態におけるシーケンス試験システム１００の動作について説明する。
【００３８】
レイテンシ設定部４１をユーザが操作することにより、基準レイテンシが設定される（レイテンシ設定ステップ）。例えば、データの転送要求のリクエストメッセージを受信してから、そのリクエストメッセージの結果が送信されるまでの時間が基準レイテンシとして設定される。レイテンシ設定部４１によって設定された基準レイテンシのデータは、レイテンシ記憶部４２によって記憶される。
【００３９】
また、しきい値設定部４６をユーザが操作することにより、差分レイテンシを複数の段階に分類するしきい値が設定される（しきい値設定ステップ）。しきい値設定部４６によって設定されたしきい値のデータは、しきい値記憶部４７によって記憶される。
【００４０】
また、表示条件設定部４８をユーザが操作することにより、差分レイテンシを複数の段階に分類して表示部５０に表示するための表示条件が設定される（表示条件設定ステップ）。
【００４１】
通信装置１１を備えたノードＡ１０、ノードＢ２０及びノードＣ３０は、それぞれ、予め定められた通信プロトコルに基づいてメッセージの送受信を行う。このメッセージの送受信中において、通信装置１１はノードＡ１０とノードＢ２０との間のメッセージをログ情報として取得して実レイテンシ取得部４３に出力し、タップ６０はノードＢ２０とノードＣ３０との間のメッセージをログ情報として取得して実レイテンシ取得部４３に出力する。
【００４２】
実レイテンシ取得部４３は、ノードＡ１０とノードＢ２０との間のログ情報からノードＡ１０及びノードＢ２０の実レイテンシのデータを取得する（実レイテンシ取得ステップ）。また、実レイテンシ取得部４３は、ノードＢ２０とノードＣ３０との間のログ情報からノードＢ２０及びノードＣ３０の実レイテンシのデータを取得する（実レイテンシ取得ステップ）。
【００４３】
実レイテンシ記憶部４４は、実レイテンシ取得部４３が取得したログ情報及び実レイテンシのデータを記憶する。
【００４４】
差分算出部４５は、レイテンシ記憶部４２から基準レイテンシのデータを読み出す。また、差分算出部４５は、実レイテンシ記憶部４４からログ情報及び実レイテンシのデータを読み出す。さらに、差分算出部４５は、基準レイテンシと実レイテンシとの差分である差分レイテンシをノードごとに算出する（差分算出ステップ）。そして、差分算出部４５は、ログ情報及び差分レイテンシのデータを表示処理部４９に出力する。
【００４５】
表示処理部４９は、差分算出部４５からログ情報及び差分レイテンシのデータを入力する。また、表示処理部４９は、しきい値設定部４６によって設定されたしきい値のデータをしきい値記憶部４７から読み出す。また、表示処理部４９は、表示条件設定部４８によって設定された表示条件を読み出す。そして、表示処理部４９は、しきい値のデータ及び表示条件に基づいてログ情報及び実レイテンシのデータを識別表示する処理を行って、その信号を表示部５０に出力する。
【００４６】
表示部５０は、ログ情報及び実レイテンシのデータを識別表示する（表示ステップ）。
【００４７】
次に、差分レイテンシの表示例について説明する。なお、説明を簡単にするため、各メッセージ（図中"Ｍｓｇ"で示す。）の送信時刻と受信時刻は等しいものとする。
【００４８】
（第１の識別表示例）
第１の識別表示例を図３に示す。この識別表示例は、図２に示した表示条件に基づくものであって、ノードＡ１０、ノードＢ２０及びノードＣ３０が通信試験において送受信するメッセージを表示部５０の画面に表示した一例を示している。図３において、画面左側には各メッセージの送信時刻を示す送信時刻表示エリア５１が設けられ、画面右側には各ノードにおける差分レイテンシを示す差分レイテンシ表示エリア５２が設けられている。また、ノードＡ１０、ノードＢ２０及びノードＣ３０に設定された基準レイテンシ（図中"Ｌ"で示す。）は、それぞれ、０．１秒、０．１秒及び０．３秒とする。
【００４９】
まず、図３に示すように、ノードＡ１０は、送信時刻"０．０００"秒において、Ｍｓｇ１をノードＢ２０に送信する。
【００５０】
ノードＢ２０は、受信したＭｓｇ１に応答してＭｓｇ２をノードＣ３０に送信する。ノードＢ２０において、Ｍｓｇ２を送信した送信時刻は"０．５００"秒であり、実レイテンシは０．５秒である。ノードＢ２０の基準レイテンシは０．１秒であるので差分レイテンシは０．４秒である。この場合、図２に示した表示条件により、砂時計のアイコンは表示されない。
【００５１】
ノードＣ３０は、受信したＭｓｇ２に応答してＭｓｇ３をノードＢ２０に送信する。ノードＣ３０において、Ｍｓｇ３を送信した送信時刻は"１．００３"秒であり、実レイテンシは０．５０３秒である。ノードＣ３０の基準レイテンシは０．３秒であるので差分レイテンシは０．２０３秒である。この場合、図２に示した表示条件により、砂時計のアイコンは表示されない。
【００５２】
ノードＢ２０は、受信したＭｓｇ３に応答してＭｓｇ４をノードＡ１０に送信する。ノードＢ２０において、Ｍｓｇ４を送信した送信時刻は"１０．００２"秒であり、実レイテンシは８．９９９秒である。ノードＢ２０の基準レイテンシは０．１秒であるので差分レイテンシは８．８９９秒である。この場合、図２に示した表示条件により、送信時刻表示エリア５１に砂時計のアイコンが２個表示される。
【００５３】
ノードＡ１０は、受信したＭｓｇ４に応答してＭｓｇ５をノードＢ２０に送信する。ノードＡ１０において、Ｍｓｇ５を送信した送信時刻は"１１．００６"秒であり、実レイテンシは１．００４秒である。ノードＡ１０の基準レイテンシは０．１秒であるので差分レイテンシは０．９０４秒である。この場合、図２に示した表示条件により、送信時刻表示エリア５１に砂時計のアイコンが１個表示される。
【００５４】
ノードＢ２０は、受信したＭｓｇ５に応答してＭｓｇ６をノードＡ１０に送信する。ノードＢ２０において、Ｍｓｇ５を送信した送信時刻は"３０．００２"秒であり、実レイテンシは１８．９９６秒である。ノードＢ２０の基準レイテンシは０．１秒であるので差分レイテンシは１８．８９６秒である。この場合、図２に示した表示条件により、送信時刻表示エリア５１に砂時計のアイコンが３個表示される。
【００５５】
以上のように、第１の識別表示例においてシーケンス試験装置４０は、しきい値に応じて定めた砂時計のアイコンの個数により、どのノードの、どのメッセージの送出に時間を要したかをユーザに容易に識別させることができる。
【００５６】
（第２の識別表示例）
第２の識別表示例を図４に示す。この識別表示例は、第１の識別表示例（図３参照）と同様の通信試験を行って、差分レイテンシが１０秒以上６０秒未満のもののみを表示部５０の画面に表示させたものである。この結果は、表示条件設定部４８での表示条件の設定において実現することができるようになっている。すなわち、表示条件設定部４８は、ユーザが所望する表示条件に該当するメッセージのみを選択して表示部５０に表示させるフィルタ機能を備えるものである。
【００５７】
以上のように、第２の識別表示例においてシーケンス試験装置４０は、表示条件設定部４８のフィルタ機能により、ユーザが所望する表示条件に該当するメッセージのみをユーザに容易に識別させることができる。
【００５８】
（第３の識別表示例）
第３の識別表示例は、図５に示すような表示条件に基づくものである。図５は、差分レイテンシを５段階で分類するしきい値の例と、各しきい値に対応させた色による表示例を示している。すなわち、差分レイテンシが、０秒以上０．５秒未満のときは白色、０．５秒以上１秒未満のときは黄色、１秒以上１０秒未満のときは緑色、１０秒以上６０秒未満のときは青色、６０秒以上のときは黒色を用いて表示する表示設定が行われる。
【００５９】
具体的には、図６に示すように試験結果が表示部５０に表示される。すなわち、図６において、Ｍｓｇ１とＭｓｇ２との間の差分レイテンシは０．９０１秒であるので、表示部５０は、Ｍｓｇ１を受信してＭｓｇ２を送信したノードＢ２０の位置に黄色の矩形アイコン５３ａを表示する。
【００６０】
また、Ｍｓｇ２とＭｓｇ３との間の差分レイテンシは０．１９９秒であるので、表示部５０は、Ｍｓｇ２を受信してＭｓｇ３を送信したノードＣ３０の位置に白色の矩形アイコン５３ｂを表示する。
【００６１】
また、Ｍｓｇ３とＭｓｇ４との間の差分レイテンシは８．４０３秒であるので、表示部５０は、Ｍｓｇ３を受信してＭｓｇ４を送信したノードＢ２０の位置に緑色の矩形アイコン５３ｃを表示する。
【００６２】
また、Ｍｓｇ４とＭｓｇ５との間の差分レイテンシは１９．８９７秒であるので、表示部５０は、Ｍｓｇ４を受信してＭｓｇ５を送信したノードＡ１０の位置に青色の矩形アイコン５３ｄを表示する。
【００６３】
以上のように、第３の識別表示例においてシーケンス試験装置４０は、しきい値に応じて定めた矩形アイコンの色により、どのノードの、どのメッセージの送出に時間を要したかをユーザに容易に識別させることができる。
【００６４】
（第４の識別表示例）
図７に示すように、第４の識別表示例は、図５に示した表示条件に基づくものであって、表示部５０の画面左側に設けた矩形アイコン表示エリア５４に矩形アイコンを表示させるものである。この矩形アイコン表示エリア５４の表示は、表示条件設定部４８での表示条件の設定において実現することができるようになっている。
【００６５】
例えば、図７において、Ｍｓｇ１とＭｓｇ２との間の差分レイテンシは０．９０１秒であるので、表示部５０は、Ｍｓｇ１の表示位置とＭｓｇ２の表示位置との間に対応する矩形アイコン表示エリア５４内に黄色の矩形アイコン５３ａを表示する。
【００６６】
以上のように、第４の識別表示例においてシーケンス試験装置４０は、しきい値に応じて定めた色の矩形アイコンを矩形アイコン表示エリア５４に表示させることにより、どのノードの、どのメッセージの送出に時間を要したかをユーザに容易に識別させることができる。
【００６７】
（第５の識別表示例）
図８に示すように、第５の識別表示例は、図５に示した表示条件に基づくものであって、表示部５０の画面上に表示されるメッセージの方向を示す矢印に矩形アイコン５５ａ〜５５ｄを重ねて表示させるものである。この表示は、表示条件設定部４８での表示条件の設定において実現することができるようになっている。
【００６８】
例えば、図８において、Ｍｓｇ３とＭｓｇ４との間の差分レイテンシは８．４０３秒であるので、表示部５０は、Ｍｓｇ４の方向を示す矢印に緑色の矩形アイコン５５ｃを重ねて表示する。
【００６９】
以上のように、第５の識別表示例においてシーケンス試験装置４０は、しきい値に応じて定めた色の矩形アイコンをメッセージの方向を示す矢印に重ねて表示させることにより、どのノードの、どのメッセージの送出に時間を要したかをユーザに容易に識別させることができる。
【００７０】
以上説明したように、本実施形態におけるシーケンス試験装置４０は、差分レイテンシを複数の段階に分類するしきい値に基づいて差分レイテンシを識別表示するので、被試験端末のレイテンシをユーザに容易に識別させることができる。
【００７１】
なお、前述の実施の形態において、シーケンス試験装置４０をノードＡ１０の内部に設ける構成を例に挙げて説明したが、本発明はこれに限定されない。例えば、シーケンス試験装置４０とノードＡ１０とを別体とし、シーケンス試験装置４０が、ノードＡ１０とノードＢ２０との間のログ情報を取得できる構成とすれば前述の実施形態と同様の効果が得られる。
【００７２】
（他の態様１）
本発明は前述の実施形態に限定されず様々な変形態様が可能である。例えば、前述の実施形態では、有線の通信ネットワークに接続された複数のノードに対してシーケンス試験を行う構成としたが、これに限定されない。例えば、図９に示すような構成でシーケンス試験を行うこともできる。
【００７３】
図９に示したシーケンス試験システム２００は、ノードＡ７０、ノードＢ８０を備えている。ノードＡ７０は、シーケンス試験装置４０、通信装置７１を備えている。なお、シーケンス試験装置４０の構成説明は既に述べたので省略する。また、ノードＡ７０、ノードＢ８０は、本発明に係る通信手段を構成する。
【００７４】
通信装置７１とノードＢ８０とは、互いにＲＦ信号で無線通信する構成を有し、それぞれ、アンテナ７２及び８１を備えている。なお、アンテナ７２、８１の代わりに、通信装置７１とノードＢ８０との間を同軸ケーブルで接続し、ＲＦ信号をやりとりする構成であってもよい。この構成例の場合、具体的には、通信装置７１は、移動体通信システムの基地局を模擬する擬似基地局である。また、試験対象であるノードＢ８０は、移動体通信システムの移動体通信端末であり、例えば、携帯電話やモバイル端末である。
【００７５】
前述の構成により、シーケンス試験システム２００は、ノードＢ８０に対し、無線通信の通信プロトコルに基づいたシーケンス試験を行ってログ情報を取得する構成とすることにより、差分レイテンシを複数の段階に分類するしきい値に基づいて差分レイテンシを識別表示することができる。したがって、シーケンス試験システム２００は、被試験端末のレイテンシをユーザに容易に識別させる。
【００７６】
（他の態様２）
また、前述の実施形態では、本発明に係る通信手段としてノードＡ１０、ノードＢ２０及びノードＣ３０を例に挙げたが、本発明はこれに限定されず、所定のシーケンスで動作するものに適用することができる。例えば、本発明は、３ＧＰＰ（Third Generation Partnership Project）の規格に基づいた多階層のプロトコルスタックの各階層（物理層、媒体アクセス制御層、無線リンク制御層等）を通信手段として、各層間の通信においても適用することができ、前述の実施形態と同様の効果が得られる。
【産業上の利用可能性】
【００７７】
以上のように、本発明に係るシーケンス試験装置及びシーケンス試験方法は、被試験端末のレイテンシをユーザに容易に識別させることができるという効果を有し、携帯電話、モバイル端末等の通信端末を所定の通信プロトコルに基づいたシーケンスで試験するシーケンス試験装置及びシーケンス試験方法等として有用である。
【符号の説明】
【００７８】
１０、７０  ノードＡ（通信手段）
１１、７１  通信装置
１２、１３、１４  通信ケーブル
２０、８０  ノードＢ（通信手段）
３０  ノードＣ
４０  シーケンス試験装置
４１  レイテンシ設定部（レイテンシ設定手段）
４２  レイテンシ記憶部
４３  実レイテンシ取得部（実レイテンシ取得手段）
４４  実レイテンシ記憶部
４５  差分算出部（差分算出手段）
４６  しきい値設定部（しきい値設定手段）
４７  しきい値記憶部
４８  表示条件設定部（表示条件設定手段）
４９  表示処理部
５０  表示部（表示手段）
５１  送信時刻表示エリア
５２  差分レイテンシ表示エリア
５３ａ〜５３ｄ、５５ａ〜５５ｄ  矩形アイコン
５４  矩形アイコン表示エリア
６０  タップ
７２、８１  アンテナ
１００、２００  シーケンス試験システム
【図１】
0005584017.tif 000002
【図２】
0005584017.tif 000003
【図３】
0005584017.tif 000004
【図４】
0005584017.tif 000005
【図５】
0005584017.tif 000006
【図６】
0005584017.tif 000007
【図７】
0005584017.tif 000008
【図８】
0005584017.tif 000009
【図９】
0005584017.tif 000010
【図１０】
0005584017.tif 000011
【図１１】
0005584017.tif 000012